(57)【要約】【課題】タッチパネルの一部に異常が発生したとき，タッチパネルの表示画面上に異常箇所以外の空き領域が存在していない場合であっても，その異常箇所に表示されていたタッチキーの操作を継続して行うことのできる操作装置及び画像処理装置を提供すること。【解決手段】タッチキーＫ２に異常が検出されたときに，表示パネル１１の表示画面上に空き領域が存在しない場合には（図４（ａ）），タッチキーＫ２を除く他のタッチキーＫ４〜Ｋ６の表示領域において，タッチキーＫ２，Ｋ４〜Ｋ６を順次スクロール表示させることにより異なるタイミングで表示させる（図４（ｂ）〜（ｄ））。【選択図】図４
2011070559.tif 000002
【特許請求の範囲】
【請求項１】
各種機能に対応するタッチキーを表示するタッチキー表示手段と，前記タッチキー表示手段の表示画面における前記タッチキーの操作を検知するタッチキー操作検知手段と，前記タッチキー操作検知手段の異常及びその異常箇所を検出する異常検出手段と，前記異常検出手段によって前記タッチキー操作検知手段の一部に異常が検出されたとき，該異常箇所に対応する前記タッチキー表示手段の表示画面の領域に表示されていた異常対象タッチキーを，前記タッチキー表示手段の表示画面における前記異常箇所以外の領域に表示させる表示制御手段とを備えてなる操作装置であって，
前記表示制御手段が，前記異常対象タッチキーが表示されていた前記タッチキー表示手段の表示画面に前記異常箇所以外の空き領域が存在する場合は，該空き領域に前記異常対象タッチキーを表示させ，前記空き領域が存在しない場合には，前記タッチキー表示手段の表示画面上の前記異常対象タッチキーを除く他のタッチキーの表示領域において前記異常対象タッチキーを含む二以上のタッチキーを異なるタイミングで表示させるものであることを特徴とする操作装置。
【請求項２】
前記表示制御手段が，前記空き領域が存在しない場合に，前記他のタッチキーの表示領域において前記異常対象タッチキーを含む二以上のタッチキーを所定の方向に順次スクロール表示させるものである請求項１に記載の操作装置。
【請求項３】
前記表示制御手段が，前記空き領域が存在しない場合に，前記他のタッチキーの表示領域において前記異常対象タッチキーを含む二以上のタッチキーを所定時間ごとに交互に表示させるものである請求項１に記載の操作装置。
【請求項４】
請求項１〜３のいずれかに記載の操作装置を備える画像処理装置。
【発明の詳細な説明】
【技術分野】
【０００１】
本発明は，タッチパネルを備える操作装置及び画像処理装置に関し，特に，そのタッチパネルの一部に異常が生じた場合にその異常箇所に表示されていたタッチキーの操作を可能にするための技術に関するものである。
【背景技術】
【０００２】
従来から，複写機，プリンタ装置，ファクシミリ装置，スキャナ装置，複合機（ＭＦＰ）などの各種の画像処理装置（画像形成装置，画像読取装置），携帯電話，ＰＤＡ等には，ユーザが各種の操作入力を行うためのタッチパネルを有する操作装置が搭載されることがある。このタッチパネルは，画像処理装置等の各種の機能に対応したタッチキーを表示する表示パネル及び該表示パネルの表示面に対する操作（押下）を検知する検知パネルを有して構成される。
ところで，このようなタッチパネルでは，特定箇所の操作頻度が高いことや，過剰な押圧力で操作されたこと，ペン先等の鋭いもので操作されたこと等によって前記検知パネルが部分的に損傷すると，その部分のタッチキーの操作を行うことができなくなる。
そこで，例えば特許文献１に係る発明では，タッチパネルの一部に異常が発生した場合に，その異常箇所に表示されていたタッチキーを，タッチパネルの表示画面上における異常箇所以外の空き領域に移動させることが提案されている。これにより，その異常箇所に表示されていたタッチキーの操作を継続して行うことが可能となる。
【先行技術文献】
【特許文献】
【０００３】
【特許文献１】特開２００９−３７５６号公報
【発明の概要】
【発明が解決しようとする課題】
【０００４】
しかしながら，前記特許文献１に係る発明では，タッチパネルの表示画面上に異常箇所以外の空き領域が存在していない場合には，異常箇所に表示されていたタッチキーを移動させることができず，そのタッチキーの操作を行うことができないという問題が残る。
従って，本発明は上記事情に鑑みてなされたものであり，その目的とするところは，タッチパネルの一部に異常が発生したとき，タッチパネルの表示画面上に異常箇所以外の空き領域が存在していない場合であっても，その異常箇所に表示されていたタッチキーの操作を継続して行うことのできる操作装置及び画像処理装置を提供することにある。
【課題を解決するための手段】
【０００５】
上記目的を達成するために本発明は，各種機能に対応するタッチキーを表示するタッチキー表示手段と，前記タッチキー表示手段の表示画面における前記タッチキーの操作を検知するタッチキー操作検知手段と，前記タッチキー操作検知手段の異常及びその異常箇所を検出する異常検出手段と，前記異常検出手段によって前記タッチキー操作検知手段の一部に異常が検出されたとき，該異常箇所に対応する前記タッチキー表示手段の表示画面の領域に表示されていた異常対象タッチキーを，前記タッチキー表示手段の表示画面における前記異常箇所以外の領域に表示させる表示制御手段とを備えてなる操作装置に適用されるものであって，前記表示制御手段が，前記異常対象タッチキーが表示されていた前記タッチキー表示手段の表示画面に前記異常箇所以外の空き領域が存在する場合は，該空き領域に前記異常対象タッチキーを表示させ，前記空き領域が存在しない場合には，前記タッチキー表示手段の表示画面上の前記異常対象タッチキーを除く他のタッチキーの表示領域において前記異常対象タッチキーを含む二以上のタッチキーを異なるタイミングで表示させるものであることを特徴として構成される。
本発明によれば，前記タッチキー操作検知手段の一部に異常が発生したとき，前記タッチキー表示手段の表示画面上に異常箇所以外の空き領域が存在していない場合であっても，前記異常対象タッチキーの操作を継続して行うことができる。
【０００６】
具体的に，前記表示制御手段が，前記空き領域が存在しない場合に，前記他のタッチキーの表示領域において前記異常対象タッチキーを含む二以上のタッチキーを所定の方向に順次スクロール表示させるものであることが考えられる。
これにより，前記タッチキー表示手段の表示画面上に異常箇所以外の空き領域が存在していない場合であっても，ユーザは順次スクロール表示される前記異常対象タッチキーの操作を行うことができる。
【０００７】
また，前記表示制御手段が，前記空き領域が存在しない場合に，前記他のタッチキーの表示領域において前記異常対象タッチキーを含む二以上のタッチキーを所定時間ごとに交互に表示させるものであることも考えられる。
これにより，前記タッチキー表示手段の表示画面上に異常箇所以外の空き領域が存在していない場合であっても，ユーザは交互に表示される前記異常対象タッチキーの操作を行うことができる。
ところで，本発明は，前記操作装置を備えてなる画像処理装置の発明として捉えてもよい。
【発明の効果】
【０００８】
本発明によれば，前記タッチキー操作検知手段の一部に異常が発生したとき，前記タッチキー表示手段の表示画面上に異常箇所以外の空き領域が存在していない場合であっても，前記タッチキー表示手段の表示画面上の前記異常対象タッチキーを除く他のタッチキーの表示領域において前記異常対象タッチキーを含む二以上のタッチキーが異なるタイミングで表示されるため，該異常対象タッチキーの操作を継続して行うことができる。
【図面の簡単な説明】
【０００９】
【図１】本発明の実施の形態に係る複写機Ｘの概略構成を示すブロック図。
【図２】本発明の実施の形態に係る複写機Ｘで実行される表示制御処理の手順の一例を説明するフローチャート。
【図３】本発明の実施の形態に係る複写機Ｘで実行される表示制御処理の実行結果を説明するための図。
【図４】本発明の実施の形態に係る複写機Ｘで実行される表示制御処理の実行結果を説明するための図。
【図５】本発明の実施の形態に係る複写機Ｘで実行される表示制御処理の実行結果の他の例を説明するための図。
【図６】本発明の実施例に係る複写機Ｘで実行される表示制御処理の実行結果を説明するための図。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１のブロック図を用いて，本発明の実施の形態に係る複写機Ｘの概略構成について説明する。なお，前記複写機Ｘは，本発明に係る画像処理装置の一例であって，他に，プリンタ装置，ファクシミリ装置，スキャナ装置，これらの複合機などの画像形成装置や画像読取装置も本発明に係る画像処理装置に該当する。
図１に示すように，前記複写機Ｘは，操作表示部１，画像読取部２，画像メモリ３，画像処理部４，画像形成部５，及びこれらを統括的に制御する制御部６などを備えて概略構成されている。
前記制御部６は，ＣＰＵやＲＯＭ，ＲＡＭ等からなり，該ＣＰＵがＲＯＭに格納された制御プログラムに従った処理を実行することにより当該複写機Ｘを統括的に制御するものである。具体的に，前記制御部６は，前記操作表示部１に対するユーザの操作入力により該操作表示部１から入力される操作信号に従って，当該複写機Ｘにおける複写処理などを実行する。
【００１１】
前記画像読取部２は，不図示の原稿台にセットされた原稿の画像情報を読み取るものであって，ＣＣＤ（Charge Coupled Device）やＣＩＳ（Contact Image Sensor）等のイメージセンサを備えている。前記画像読取部２は，原稿台にセットされた原稿を走査することにより，前記原稿の画像をライン毎に読み取り，画像データとしてデジタルデータ化して前記画像メモリ３に記憶させる。
前記画像メモリ３は，ＥＥＰＲＯＭなどの読み書き可能な不揮発性半導体メモリである。なお，前記複写機ＸがＬＡＮ等のネットワークを介してパソコン等の情報処理装置と接続可能なものである場合は，その情報処理装置から転送された画像データも前記画像メモリ３に格納される。
前記画像処理部４は，前記画像メモリ３に記憶された画像データに対して各種の画像処理を施すことにより，前記画像形成部５の印刷形式に対応した画像データ（ＹＭＣＫデータ）に変換し，該画像形成部５に出力する。
前記画像形成部５は，前記画像処理部４から入力された画像データに応じた可視像（例えばトナー像）を記録紙に転写させて定着させる画像形成処理を実行するものである。具体的に，前記画像形成部５には，感光体ドラム，該感光体ドラムの表面を所定電位に一様に帯電させる帯電装置，前記感光体ドラムの表面を露光走査して静電潜像を形成するＬＳＵ，前記静電潜像にトナーを付着させて現像する現像装置，現像されたトナー画像を記録紙に転写する転写装置，転写されたトナー像を記録紙に定着させる定着装置など，電子写真方式の画像形成装置が備える周知の各種装置が設けられている。
【００１２】
そして，本発明に係る画像処理装置の一例である前記複写機Ｘは，前記操作表示部１の動作に特徴を有しており，該操作表示部１が本発明に係る操作装置の一例である。
前記操作表示部１は，タッチパネル１ａと，操作キー１ｂ，操作表示制御部１ｃ，異常検出部１ｄ（異常検出手段の一例）などを有しており，ユーザと本複写機Ｘとを関係付けるマンマシンインタフェースとして機能する。
前記タッチパネル１ａは，前記複写機Ｘの各種機能に対応するタッチキーの画像を表示する表示パネル１１（タッチキー表示手段の一例）と，前記表示パネル１１の表示画面における前記タッチキーの操作を検知する検知パネル１２（タッチキー操作検知手段の一例）とを有している。
具体的に，前記表示パネル１１の表示画面に表示されるタッチキーの種類やレイアウトは，前記操作表示制御部１ｃによって制御される。例えば，前記表示パネル１１には，図３に示すように，複写機能に関する各種のタッチキーＫ１〜Ｋ７などが表示される。また，図３に示すように，前記表示パネル１１の表示画面上には，前記表示パネル１１の表示画面をタッチキーの表示内容が異なる複数の表示ページの間で切り替えるために用いられるタブＴ１〜Ｔ５が表示される。前記タブＴ１〜Ｔ５各々が操作されると，前記操作表示制御部１ｃによって，前記表示パネル１１の表示画面が，前記タブＴ１〜Ｔ５各々に対応する表示ページに切り替えられる。
【００１３】
前記タッチパネル１ａの検知パネル１２は，前記表示パネル１１上に積層された透明な抵抗膜方式の面状押下センサなどを有しており，ユーザによって前記表示パネル１１上の任意の部位の押下操作がなされた場合に，その押下部位の座標を検知し，検知結果を操作信号として前記操作表示制御部１ｃに入力する。
一方，前記操作キー１ｂは，例えば電源キーやコピー開始キー等，タッチパネル１ａ以外の部位に設けられる操作キー（ハードウエアキー）であり，操作された操作キーに対応する操作信号を前記操作表示制御部１ｃに入力する。
【００１４】
前記操作表示制御部１ｃは，ＭＰＵ（Micro Processing Unit），内部メモリ，並びに前記タッチパネル１ａ，前記操作キー１ｂ及び前記制御部６と各種信号の授受を行うインタフェース回路等から構成されている。
そして，前記操作表示制御部１ｃは，前記タッチパネル１ａや前記操作キー１ｂから入力された操作信号を前記制御部６に入力する。これにより，前記複写機Ｘでは，前記制御部６によって，前記タッチパネル１ａや前記操作キー１ｂからの操作信号に対応する各種の処理が実行される。
このとき，前記操作表示制御部１ｃは，前記タッチパネル１ａから入力された押下部位の座標に表示されたタッチキーを特定し，該タッチキーに対応する操作信号を前記制御部６に入力する。例えば，前記操作表示制御部１ｃは，前記タッチパネル１ａから入力される座標及び現在の前記表示パネル１１の表示内容と，その座標に対応するタッチキーとの対応関係が予め設定されたタッチキー対応情報に基づいて，操作されたタッチキーを特定する。なお，当該タッチキーの特定処理は，前記制御部６において実行されてもよい。
【００１５】
一方，前記異常検出部１ｄは，前記タッチパネル１ａの前記検知パネル１２に異常が発生した場合に，その異常を検出すると共に該異常箇所を検出し，該検出結果を前記操作表示制御部１ｃに入力する。前記検知パネル１２による異常検出手法としては様々な手法が考えられるが，ここではその一例について説明する。
まず，前記異常検出部１ｄは，前記検知パネル１２の各座標について，押圧検出の都度カウント値を積算した押圧検出回数を履歴として残している。ここで，押圧検出回数は，積算し続けてもよいし，所定のタイミングでリセットしてもよい。
その後，前記異常検出部１ｄは，所定の周期で押圧検出回数を確認する。このとき，前記異常検出部１ｄは，値が他所に比して極端に少なかったり或いは多かったりする座標が所定面積内に所定割合以上存在すると，その座標範囲に異常が発生していると判断し，前記操作表示制御部１ｃに異常箇所を連絡する。
【００１６】
ところで，前記タッチパネル１ａを有する前記複写機Ｘでは，該タッチパネル１ａの一部に異常が生じた場合に，該異常箇所に表示されていたタッチキーを操作することができなくなるという問題が生じる。
しかしながら，前記複写機Ｘでは，前記操作表示制御部１ｃによって後述の表示制御処理（図２のフローチャート参照）が実行されることにより，前記異常検出部１ｄによって前記検知パネル１２の一部に異常が検出されたとき，該異常箇所に対応する前記表示パネル１１の表示画面の領域に表示されていたタッチキー（以下，「異常対象タッチキー」と称する）を，前記表示パネル１１の表示画面における前記異常箇所以外の領域に表示させることにより，該異常対象タッチキーを継続して操作することが可能となる。ここに，係る表示制御処理を実行するときの前記操作表示制御部１ｃが表示制御手段に相当する。なお，当該表示制御処理が前記制御部６によって実行されることも他の実施例として考えられ，この場合には，前記制御部５が表示制御手段に相当する。
【００１７】
以下，図２のフローチャートに従って，前記複写機Ｘで前記操作表示制御部１ｃによって実行される表示制御処理の手順の一例について説明する。なお，図中のＳ１，Ｓ２，…は処理手順（ステップ）の番号を表している。
ここでは，図３（ａ）に示すように，前記表示パネル１１の表示画面上に複数のタッチキーＫ１〜Ｋ７及びタブＴ１〜Ｔ５が表示されており，タッチキーなどが表示されていない空き領域Ｒ１が存在する場合と，図４（ａ）に示すように，前記表示パネル１１の表示画面上に複数のタッチキーＫ１〜Ｋ９及びタブＴ１〜Ｔ５が表示されており，図３（ａ）のような空き領域Ｒ１が存在しない場合とを例に挙げつつ，当該表示制御処理の実行結果について説明する。
また，ここでは「拡大・縮小」のタッチキーＫ２の表示位置に対応する前記検知パネル１２の一部に異常が生じた場合を例に挙げて説明する。この場合，前記タッチキーＫ２が異常対象タッチキーに相当する。
【００１８】
（ステップＳ１）
図２に示すように，まずステップＳ１において，前記操作表示制御部１ｃは，前記タッチパネル１ａの検知パネル１２の一部に異常が生じたか否かを判断する。具体的には，前記異常検出部１ｄから異常が発生した旨及び異常箇所に関する情報が入力されたことに基づいて判断する。ここで，前記タッチパネル１ａの検知パネル１２の一部に異常が生じていないと判断されている間は（ステップＳ１のＮｏ側），処理はステップＳ１で待機するが，前記タッチパネル１ａの検知パネル１２の一部に異常が生じたと判断された場合には（ステップＳ１のＹｅｓ側），処理はステップＳ２に移行する。
ここでは，前記タッチキーＫ２の表示位置に対応する前記検知パネル１２の一部に異常が生じたことを想定しているため（ステップＳ１のＹｅｓ側），処理はステップＳ２に移行することとなる。
なお，このとき前記操作表示制御部１ｃは，前記異常検出部１ｄから異常が発生した旨の通知を受けた場合に，その旨を示す異常発生通知を制御部６に送信することも考えられる。そして，前記制御部６は，前記操作表示制御部１ｃからの前記異常発生通知信号の受信に応じて，所定の通信回線などを介して自動的にメンテナンス会社などへのサービスコールを送信することが考えられる。また，前記制御部６が，前記操作表示制御部１ｃからの前記異常発生通知信号の受信に応じて，サービスマンに連絡をすべき旨のメッセージを前記表示パネル１１に表示させてユーザに報知することも考えられる。
【００１９】
（ステップＳ２）
ステップＳ２において，前記操作表示制御部１ｃは，前記ステップＳ１において異常が検出された異常対象タッチキーが表示されていた前記表示パネル１１の表示画面に，その異常箇所以外の空き領域が存在するか否かを判断する。前記空き領域は，前記表示パネル１１の表示画面上で，何らのタッチキーも表示されておらず異常も発生していない正常操作が可能な領域をいう。
ここで，前記空き領域が存在すると判断した場合には（ステップＳ２のＹｅｓ側），処理はステップＳ３に移行し，前記空き領域が存在しないと判断した場合には（ステップＳ２のＮｏ側），処理はステップＳ２１に移行する。
従って，図３（ａ）に示すように前記空き領域Ｒ１が存在する場合には（ステップＳ２のＹｅｓ側），処理はステップＳ３に移行し，図４（ａ）に示すように空き領域が存在しない場合には（ステップＳ２のＮｏ側），処理はステップＳ２１に移行することとなる。
【００２０】
（ステップＳ３）
まず，図３を参照しつつ，前記空き領域が存在すると判断された場合について説明する。
この場合，続くステップＳ３では，前記操作表示制御部１ｃによって，前記ステップＳ１で異常が発生したと判断された異常箇所に表示されていた異常対象タッチキーが前記空き領域に移動して表示される。
ここでは，図３（ａ）に示すように，「拡大・縮小」のタッチキーＫ２が，図３（ｂ）に示すように，異常箇所Ｒ２から空き領域Ｒ１に移動されて表示されることとなる。これにより，ユーザは「拡大・縮小」のタッチキーＫ２の操作を継続して行うことが可能となる。
【００２１】
なお，この場合，前記操作表示制御部１ｃは，前記移動後の前記タッチキーＫ２の位置の押下操作がなされたときに前記検知パネル１２から入力される座標と現在の前記表示パネル１１の表示内容とに基づいて，前記タッチキーＫ２が操作された旨を特定することができるように，前記タッチキー対応情報の内容を変更する。これにより，その後，前記タッチキーＫ２の押下操作がなされた場合には，前記操作表示制御部１ｃによって，前記タッチキー対応情報に基づいて前記タッチキーＫ２が操作された旨が特定され，該タッチキーＫ２に対応する操作信号が前記制御部６に入力されることとなる。
また，前記タッチキーＫ２が表示されていた異常箇所Ｒ２には，図３（ｂ）に示すように何も表示しなくてもよいが，ユーザに操作不能であると思わせる画像や，「ここは操作できません」等の文字を表示させることも考えられる。なお，その後も同様に，例えば「用紙選択」のタッチキーＫ３の表示位置に対応する前記検知パネル１２の一部にも異常が生じた場合には，前記タッチキーＫ３は，該タッチキーＫ３が表示されたいた異常箇所と前記タッチキーＫ２が前に表示されていた異常箇所Ｒ２とを除く空き領域Ｒ１（図３（ｂ）参照）に表示されることになる。
【００２２】
次に，図４を参照しつつ，前記空き領域が存在しないと判断された場合について説明する。
この場合には，前記操作表示制御部１ｃによって，前記ステップＳ１で異常が発生したと判断された異常箇所に表示されていた異常対象タッチキーを他の領域に移動させることができない。
そこで，前記操作表示制御部１ｃは，以下に説明するステップＳ２１において，前記表示パネル１１の表示画面上の前記異常対象タッチキーを除く他のタッチキーの表示領域において前記異常対象タッチキーを含む二以上のタッチキーを異なるタイミングで表示させる。
【００２３】
（ステップＳ２１）
具体的に，前記操作表示制御部１ｃは，ステップＳ２１において，前記異常対象タッチキーを除く他のタッチキーの表示領域において，前記異常対象タッチキーを含む二以上のタッチキーを所定の方向に順次スクロール表示させるための処理を開始する。
図４に示す例では，前記操作表示制御部１ｃは，図４（ｂ）〜図４（ｄ）に示すように，前記表示パネル１１の表示画面上における前記タッチキーＫ２を除く他のタッチキーＫ４〜Ｋ６の表示領域において，前記タッチキーＫ２，Ｋ４〜Ｋ６を図４における右方向から左方向（所定の方向の一例）に順次スクロール表示させる。なお，スクロール表示の方向は上下左右のいずれであってもよい。また，スクロール表示の速度は，ユーザが各タッチキーの表示を認識し，容易にタイミングを計って操作することが可能な程度であればよい。
これにより，ユーザは，前記表示パネル１１の表示画面上で順次スクロール表示される前記タッチキーＫ２，Ｋ４〜Ｋ６各々の操作を継続して行うことができる。
【００２４】
なお，この場合にも，前記操作表示制御部１ｃは，前記タッチキーＫ２，Ｋ４〜Ｋ６の押下操作がなされたときに前記検知パネル１２から入力される座標と現在の前記表示パネル１１の表示内容とに基づいて，前記タッチキーＫ２，Ｋ４〜Ｋ６が操作された旨を特定することができるように，前記タッチキー対応情報の内容を，前記スクロール表示に従って随時変更する。これにより，その後，前記タッチキーＫ２，Ｋ４〜Ｋ６の押下操作がなされた場合には，前記操作表示制御部１ｃによって，前記タッチキー対応情報に基づいて前記タッチキーＫ２，Ｋ４〜Ｋ６が操作された旨が特定され，該タッチキーＫ２，Ｋ４〜Ｋ６に対応する操作信号が前記制御部６に入力されることとなる。
また，前記タッチキーＫ２が表示されていた位置には，図４（ｂ）に示すように何も表示しなくてもよいが，ユーザに操作不能であると思わせる画像や，「ここは操作できません」等の文字を表示させることも考えられる。
【００２５】
以上説明したように，前記複写機Ｘでは，前記タッチパネル１ａの一部に異常が発生したとき，その部分に配されていた異常対象タッチキーを正常部分に移動させるので，前記タッチパネル１ａの異常箇所を避けてタッチキーを配した画面を使用することができ，前記タッチパネル１ａが半故障状態であっても修理するまで前記タッチパネル１ａによる操作を継続することができる。したがって，前記タッチパネル１ａに不具合が生じた場合にも，ユーザが，容易にしかも短時間で，意図する操作を行うことができる。
特に，前記異常対象タッチキーが表示されていた前記表示パネル１１の表示画面上に空き領域が存在していない場合には（ステップＳ２のＮｏ側），前記表示パネル１１の表示画面上の前記異常対象タッチキーを除く他のタッチキーの表示領域において前記異常対象タッチキーを含む二以上のタッチキーが異なるタイミングで表示されることになるため（ステップＳ２１），前記表示パネル１１の表示画面上に空き領域が存在していない場合であっても，前記異常対象タッチキーの操作を継続して行うことが可能となる。
【００２６】
なお，本実施の形態では，前記タッチキーＫ２を，前記タッチキーＫ４〜Ｋ６と共に順次スクロール表示させる場合を例に挙げて説明したが，これに限らず，例えば図５（ａ）〜（ｆ）に示すように，前記表示パネル１１の表示画面上における一つのタッチキーＫ３の表示位置において，前記タッチキーＫ２と前記タッチキーＫ３とを順次スクロール表示させることも他の実施例として考えられる。なお，この場合には，図５に示すように，前記タッチキーＫ２と前記タッチキーＫ３との境界を明暗（色）の違いや境界線などによって表示することで，ユーザの誤操作を極力防止することが望ましい。
【実施例】
【００２７】
本実施例では，図６を参照しつつ，前記ステップＳ２１の処理の他の例について説明する。
具体的に，前記ステップＳ２１では，前記タッチキーＫ２を含む二以上のタッチキーを順次スクロール表示させる場合を例に挙げて説明したが，例えば，前記他のタッチキーの表示領域において前記異常対象タッチキーを含む二以上のタッチキーを所定時間ごとに交互に表示させることも考えられる。
例えば，前記操作表示制御部１ｃは，図６（ａ）に示すように，前記表示パネル１１の表示画面に空き領域が存在しない場合（ステップＳ２のＮｏ側），前記ステップＳ２１において，図６（ｂ）に示すように前記タッチキーＫ３の表示領域に該タッチキーＫ３を表示させる表示画面と，図６（ｃ）に示すように前記タッチキーＫ３の表示領域に前記タッチキーＫ２を表示させる表示画面とを，予め設定された所定時間（例えば１〜３秒程度）ごとに交互に表示させるための処理を開始する。
これにより，ユーザは，前記表示パネル１１の表示画面上で交互に表示される前記タッチキーＫ２，Ｋ３各々の操作を継続して行うことができる。
【符号の説明】
【００２８】
１：操作表示部（操作装置の一例）
１ａ：タッチパネル
１ｂ：操作キー
１ｃ：操作表示制御部
１ｄ：異常検出部
２：画像読取部
３：画像メモリ
４：画像処理部
５：印刷部
６：制御部
１１：表示パネル（タッチキー表示手段の一例）
１２：検知パネル（タッチキー操作検知手段の一例）
Ｋ１〜Ｋ９：タッチキー
Ｒ１：空き領域
Ｒ２：異常箇所
Ｔ１〜Ｔ５：タブ
Ｘ：複写機（画像処理装置の一例）
【図１】
2011070559.tif 000003
【図２】
2011070559.tif 000004
【図３】
2011070559.tif 000005
【図４】
2011070559.tif 000006
【図５】
2011070559.tif 000007
【図６】
2011070559.tif 000008